(57)【要約】【課題】高強度、高靱性を有するコンクリートパネルを用いた既存柱の補強構造を提供する。【解決手段】既存の柱の表面と所定の間隔を設けて位置し、前記柱を平面視四角形に包囲する４枚のコンクリートパネルと、前記コンクリートパネルを接続する接続材と、前記コンクリートパネルで包囲した空間に充填する充填材と、からなり、前記コンクリートパネルは、前記柱に沿って高さ方向に積層しており、前記接続材は、上下に位置する前記コンクリートパネルに跨がって配置する接続プレートまたは前記柱の端部に位置する前記コンクリートパネルの端部に配置する下端接続プレートからなり、前記接続プレートおよび前記下端接続プレートは、前記コンクリートパネルの背面に沿って配置する長辺部と、隣接して直交する前記コンクリートパネルに配置した他の前記接続プレートまたは前記下端接続プレートの長辺部と接合する短辺部とで平面視略Ｌ字状をなし、前記コンクリートパネルおよび前記接続材は、ボルト状の固定具により連結する、既存柱の補強構造。【選択図】図１
2017031653.tif 000002
【特許請求の範囲】
【請求項１】
既存の柱の表面と所定の間隔を設けて位置し、前記柱を平面視四角形に包囲する４枚のコンクリートパネルと、
前記コンクリートパネルを接続する接続材と、
前記コンクリートパネルで包囲した空間に充填する充填材と、からなり、
前記コンクリートパネルは、前記柱に沿って高さ方向に積層しており、
前記接続材は、上下に位置する前記コンクリートパネルに跨がって配置する接続プレートまたは前記柱の端部に位置する前記コンクリートパネルの端部に配置する下端接続プレートからなり、
前記接続プレートおよび前記下端接続プレートは、前記コンクリートパネルの背面に沿って配置する長辺部と、隣接して直交する前記コンクリートパネルに配置した他の前記接続プレートまたは前記下端接続プレートの長辺部と接合する短辺部とで平面視略Ｌ字状をなし、
前記コンクリートパネルおよび前記接続材は、ボルト状の固定具により連結する、既存柱の補強構造。
【請求項２】
請求項１に記載の既存柱の補強構造において、
前記コンクリートパネルは、短繊維により補強したコンクリートまたはレジンコンクリートからなることを特徴とする、既存柱の補強構造。
【請求項３】
請求項１または請求項２に記載の既存柱の補強構造において、
前記充填材は、モルタル、コンクリート、短繊維により補強したモルタルまたは短繊維により補強したコンクリートであることを特徴とする、既存柱の補強構造。
【請求項４】
請求項１乃至請求項３の何れか一項に記載の既存柱の補強構造において、
長辺部と短辺部からなる平面視Ｌ字状の補強材を、前記コンクリートパネルの裏面に前記長辺部を配置し、隣接して直交する前記コンクリートパネルに配置した他の前記補強材の前記長辺部に前記短辺部を接合して、前記コンクリートパネルの上下にそれぞれ位置する前記接続材と平行に、前記柱を包囲するように配置することを特徴とする、既存柱の補強構造。
【請求項５】
請求項１乃至請求項３の何れか一項に記載の既存柱の補強構造を構築する、既存柱の補強工法であって、
４枚の前記コンクリートパネルにより既存柱を包囲し、
前記コンクリートパネルの下辺に前記下端接続プレートを前記固定具により接合し、
隣接して直交する前記コンクリートパネルおよび該コンクリートパネルに接合した前記下端接続プレートの前記長辺部に前記短辺部を前記固定具により接合して前記接続材により前記柱を包囲し、
前記コンクリートパネルの上辺に前記接続プレートの長辺部を前記固定具により接合し、
隣接して直交する前記コンクリートパネルおよび該コンクリートパネルに接合した前記接続プレートの長辺部に前記短辺部を前記固定具により接合して前記接続材を接合し、
前記コンクリートパネルの上段にさらに前記コンクリートパネルを積層して上段の前記コンクリートパネルを前記固定具によって前記接続材に接合し、
前記接続プレートの長辺部の接合工程、前記接続プレートの短辺部の接合工程および前記コンクリートパネルの積層工程を繰り返すことによって、既存柱を所定の高さまで前記コンクリートパネルによって包囲し、
前記コンクリートパネルと前記柱との間の空間に、前記充填材を充填することを特徴とする、既存柱の補強工法。
【請求項６】
請求項４に記載の既存柱の補強構造を構築する、既存柱の補強工法であって、
４枚の前記コンクリートパネルにより既存柱を包囲し、
前記コンクリートパネルの下辺に前記下端接続プレートを前記固定具により接合し、
隣接して直交する前記コンクリートパネルおよび該コンクリートパネルに接合した前記下端接続プレートの前記長辺部に前記短辺部を前記固定具により接合して前記接続材により前記柱を包囲し、
前記コンクリートパネルの上辺に前記接続プレートの長辺部を前記固定具により接合し、
隣接して直交する前記コンクリートパネルおよび該コンクリートパネルに接合した前記接続プレートの長辺部に前記短辺部を前記固定具により接合して前記接続材を接合し
前記コンクリートパネルの上段にさらに前記コンクリートパネルを積層して上段の前記コンクリートパネルを前記固定具によって前記接続材に接合し、
前記接続プレートの長辺部の接合工程、前記接続プレートの短辺部の接合工程および前記コンクリートパネルの積層工程を繰り返すことによって、既存柱を所定の高さまで前記コンクリートパネルによって包囲し、
前記コンクリートパネルと前記柱との間の空間に、前記充填材を充填して構築するものであり、
前記補強材は、
既存柱を包囲する前の４枚の前記コンクリートパネルに、あらかじめ前記補強材の長辺部を前記固定具により接合しておき、
４枚の前記コンクリートパネルにより既存柱を包囲した後に、前記固定具により、前記補強材の短辺部を前記コンクリートパネルと接合することにより構築する、既存柱の補強工法。
【発明の詳細な説明】
【技術分野】
【０００１】
本発明は、既設柱の補強構造および補強工法に関し、特に、高強度、高靱性を有するコンクリートパネルを用いた補強構造および補強工法に関する。
【背景技術】
【０００２】
１９９５年１月の兵庫県南部地震によって、鉄筋コンクリート構造の柱に多くの損傷が見られて以後、既設柱において、耐震性能を向上させる補強が多く行われている。
このような既設柱の補強工法としては、以下のような工法がある。
＜１＞既設柱の周りに鋼板を配置し、既設柱と鋼板との間にモルタルや砂を充填する、鋼板巻立て工法
＜２＞既設柱を表面処理した後、既設柱の周りに鉄筋を配置し、型枠を建て込んでコンクリートを打設する、コンクリート巻立て工法
＜３＞既設柱にエポキシ樹脂等で連続繊維シートを巻きたてる、繊維巻立て工法
＜４＞既設柱の周りに帯鉄筋を配置し、吹付けモルタルを施工する、モルタル吹付け工法
＜５＞プレキャスト型枠を設置し、既設柱とプレキャスト型枠との間にモルタルを充填する、プレキャスト型枠を用いた補強工法
【先行技術文献】
【特許文献】
【０００３】
【特許文献１】特許第４９９２４７９号公報
【発明の概要】
【発明が解決しようとする課題】
【０００４】
前記した従来の補強工法にあっては、次のような問題点がある。
＜１＞鋼板巻立て工法は、鋼板の設置に揚重機が必要であり、また、鋼板の接合に溶接が必要である。
＜２＞コンクリート巻立て工法は、鉄筋の組み立てや型枠の建て込みに重機が必要である。また、かぶりを確保するために、補強構造の断面増厚量が大きくなる。また、コンクリートが現場打設のため、乾燥収縮等により構造の表面にひび割れが発生するおそれがある。
＜３＞繊維巻立て工法は、連続繊維シートを複数層、既存柱に巻きたてるため、熟練工が必要であり、また、施工手間が増える。
＜４＞モルタル吹付け工法は、モルタル吹付けの為に面積２０ｍ２程度のプラントが必要となる。また、モルタルが現場打設のため、乾燥収縮等により構造の表面にひび割れが発生するおそれがある。
＜５＞プレキャスト型枠を用いた補強工法は、モルタル充填時にプレキャスト型枠を支保工により支持する必要がある。
＜６＞プレキャスト型枠は略コ字状に形成されているため、使用できる既存柱の寸法が限定される。
＜７＞鋼板巻立て工法およびプレキャスト型枠を用いた補強工法は、鋼板やプレキャスト型枠が単品生産となるため、製作に時間がかかる。
【課題を解決するための手段】
【０００５】
上記課題を解決するためになされた本願の第１発明は、既存の柱の表面と所定の間隔を設けて位置し、前記柱を平面視四角形に包囲する４枚のコンクリートパネルと、前記コンクリートパネルを接続する接続材と、前記コンクリートパネルで包囲した空間に充填する充填材と、からなり、前記コンクリートパネルは、前記柱に沿って高さ方向に積層しており、前記接続材は、上下に位置する前記コンクリートパネルに跨がって配置する接続プレートまたは前記柱の端部に位置する前記コンクリートパネルの端部に配置する下端接続プレートからなり、前記接続プレートおよび前記下端接続プレートは、前記コンクリートパネルの背面に沿って配置する長辺部と、隣接して直交する前記コンクリートパネルに配置した他の前記接続プレートまたは前記下端接続プレートの長辺部と接合する短辺部とで平面視略Ｌ字状をなし、前記コンクリートパネルおよび前記接続材は、ボルト状の固定具により連結する、既存柱の補強構造を提供する。
本願の第２発明は、第１発明の既存柱の補強構造において、前記コンクリートパネルは、短繊維により補強したコンクリートまたはレジンコンクリートからなることを特徴とする、既存柱の補強構造を提供する。
本願の第３発明は、第１発明または第２発明の既存柱の補強構造において、前記充填材は、モルタル、コンクリート、短繊維により補強したモルタルまたは短繊維により補強したコンクリートであることを特徴とする、既存柱の補強構造を提供する。
本願の第４発明は、第１発明乃至第３発明の何れかの既存柱の補強構造において、長辺部と短辺部からなる平面視Ｌ字状の補強材を、前記コンクリートパネルの裏面に前記長辺部を配置し、隣接して直交する前記コンクリートパネルに配置した他の前記補強材の前記長辺部に前記短辺部を接合して、前記コンクリートパネルの上下にそれぞれ位置する前記接続材と平行に、前記柱を包囲するように配置することを特徴とする、既存柱の補強構造を提供する。
本願の第５発明は、第１発明乃至第３発明の何れかの既存柱の補強構造を構築する、既存柱の補強工法であって、４枚の前記コンクリートパネルにより既存柱を包囲し、前記コンクリートパネルの下辺に前記下端接続プレートを前記固定具により接合し、隣接して直交する前記コンクリートパネルおよび該コンクリートパネルに接合した前記下端接続プレートの前記長辺部に前記短辺部を前記固定具により接合して前記接続材により前記柱を包囲し、前記コンクリートパネルの上辺に前記接続プレートの長辺部を前記固定具により接合し、隣接して直交する前記コンクリートパネルおよび該コンクリートパネルに接合した前記接続プレートの長辺部に前記短辺部を前記固定具により接合して前記接続材を接合し、前記コンクリートパネルの上段にさらに前記コンクリートパネルを積層し、上段の前記コンクリートパネルを前記固定具によって前記接続材に接合し、前記接続プレートの長辺部の接合工程、前記接続プレートの短辺部の接合工程および前記コンクリートパネルの積層工程を繰り返すことによって、既存柱を所定の高さまで前記コンクリートパネルによって包囲し、前記コンクリートパネルと前記柱との間の空間に、前記充填材を充填することを特徴とする、既存柱の補強工法を提供する。
本願の第６発明は、第４発明の既存柱の補強構造を構築する、既存柱の補強工法であって、４枚の前記コンクリートパネルにより既存柱を包囲し、前記コンクリートパネルの下辺に前記下端接続プレートを前記固定具により接合し、隣接して直交する前記コンクリートパネルおよび該コンクリートパネルに接合した前記下端接続プレートの前記長辺部に前記短辺部を前記固定具により接合して前記接続材により前記柱を包囲し、前記コンクリートパネルの上辺に前記接続プレートの長辺部を前記固定具により接合し、隣接して直交する前記コンクリートパネルおよび該コンクリートパネルに接合した前記接続プレートの長辺部に前記短辺部を前記固定具により接合して前記接続材を接合し、前記コンクリートパネルの上段にさらに前記コンクリートパネルを積層し、上段の前記コンクリートパネルを前記固定具によって前記接続材に接合し、前記接続プレートの長辺部の接合工程、前記接続プレートの短辺部の接合工程および前記コンクリートパネルの積層工程を繰り返すことによって、既存柱を所定の高さまで前記コンクリートパネルによって包囲し、前記コンクリートパネルと前記柱との間の空間に、前記充填材を充填して構築するものであり、前記補強材は、既存柱を包囲する前の４枚の前記コンクリートパネルに、あらかじめ前記補強材の長辺部を前記固定具により接合しておき、４枚の前記コンクリートパネルにより既存柱を包囲した後に、前記固定具により、前記補強材の短辺部を前記コンクリートパネルと接合することにより構築する、既存柱の補強工法を提供する。
【発明の効果】
【０００６】
本発明は、上記した課題を解決するための手段により、次のような効果の少なくとも一つを得ることができる。
＜１＞表面にコンクリートパネルを配置する構造であるため、構造表面にひび割れが発生せず、品質が安定する。
＜２＞高強度高靱性コンクリートパネルを使用することで、耐久性が向上する。
＜３＞溶接作業を必要とせず、既設柱の周囲にコンクリートパネルを配置するものであるため、熟練工が不要である。
＜４＞コンクリートパネルは平板状であるため、任意の寸法の既存柱に適用することができる。
＜５＞コンクリートパネルは平板状であり、軽量化することにより、人力施工が可能となる。
＜６＞人力施工により、狭隘部での施工が可能である。
＜７＞パネルのコンクリートを現場打設するものではないため、施工の省人化、省力化が図れる。
＜８＞コンクリートパネルを接続材と組み合わせて柱を閉合することで、支保工が省略できる。
＜９＞高強度高靱性コンクリートパネルを使用するため、内部に補強鉄筋を配置する必要がなく、工期が短縮される。
＜１０＞揚重機を使用しないため施工時のＣＯ２が削減され、施工時の騒音、振動が低減される。
＜１１＞補強材を追加で配置することにより、補強構造における補強の程度を変化させることができる。
【図面の簡単な説明】
【０００７】
【図１】本発明の既存柱の補強構造の斜視図
【図２】コンクリートパネルおよび接続材の斜視図
【図３】既設柱の補強構造の断面図
【図４】コンクリートパネルおよび接続材の配置の説明図
【図５】補強工法の説明図（１）
【図６】補強工法の断面図（１）
【図７】補強工法の断面図（２）
【図８】補強工法の説明図（２）
【図９】その他実施例にかかる補強工法の説明図
【図１０】その他実施例にかかるコンクリートパネルおよび接続材の斜視図
【発明を実施するための形態】
【０００８】
以下、図面を参照しながら本発明の実施の形態について説明する。
【０００９】
［１］補強構造。
本発明の既設柱の補強構造は、既存の柱Ａの表面と所定の間隔を設けて配置して柱Ａを平面視四角形状に包囲する４枚のコンクリートパネル１と、隣接するコンクリートパネル１を接続する接続材２と、からなる。（図１）
コンクリートパネル１は柱Ａに沿って高さ方向に積層し、上下のコンクリートパネル１は、接続材２を介して連結する。
そして、柱Ａとコンクリートパネル１との間には、充填材３を充填する。
コンクリートパネル１と接続材２は固定具４によって連結する。
【００１０】
＜１＞コンクリートパネル。
本発明のコンクリートパネル１は、矩形の平板（幅：補強後の既設柱の概略寸法、高さ：５００ｍｍ、厚さ：１０〜５０ｍｍ）であり、工場で生産された高強度高靱性のプレキャストコンクリートパネルである。（図２）
高強度高靱性コンクリートパネルは、セメント系材料を短繊維（鋼繊維または合成繊維）により補強したコンクリートまたはレジンコンクリートである。これにより、コンクリートパネル１を軽量化することができる。
コンクリートパネル１は、既設の柱Ａの耐震補強のために、４枚を平面視四角形状に連結して柱Ａを包囲し、補強構造の表面を形成する（図３）。補強構造の表面が工場生産されたコンクリートパネル１であるため、コンクリートやモルタルを現場で打設した際のように乾燥収縮等により構造表面にひび割れが発生することがなく、品質が向上する。
コンクリートパネル１には、接続材２に連結するための固定具４を挿通する挿通孔１１を設ける。
高強度高靱性のコンクリートパネル１によって補強するため、耐久性が向上する。
また、コンクリートパネル１内部に補強鉄筋を配置する必要がないため、短工期での構築が可能である。
【００１１】
＜２＞接続材。
接続材２は、長辺部２１と短辺部２２とからなる平面視Ｌ字状の部材である。（図２）
接続材２は、矩形の平板状（高さ１５０〜２００ｍｍ、厚さ６〜９ｍｍ）の鋼材を折曲して構成する。
接続材２には、積層するコンクリートパネル１の背面であって、下層のコンクリートパネル１の上部と上層のコンクリートパネル１の下部に跨がって配置する接続プレート２ａと、積層するコンクリートパネル１の背面であって、最下層のコンクリートパネル１の下端に配置する下端接続プレート２ｂがある。
長辺部２１の長さは、コンクリートパネル１の幅とほぼ同じ長さである。
長辺部２１は、積層するコンクリートパネル１の背面であって、下層のコンクリートパネルの上部と上層のコンクリートパネルの下部に跨がって配置する。
長辺部２１には、固定具４を挿通する挿通孔２１１を設ける。
短辺部２２の背面は、隣接するコンクリートパネル１に設けた別の接続材２の長辺部２１に接する。
長辺部２１および短辺部２２には、固定具４を挿通する挿通孔２１１、２２１を設ける。
【００１２】
＜３＞接続材の配置。
接続材２は、平面視四角形状に配置する４枚のコンクリートパネル１の背面に接している。（図３）
接続材２のＬ字の角は、柱Ａの角に対応する位置に配置する。
そして、コンクリートパネル１と接続材２を固定具４によって接合することにより、接続材２は、コンクリートパネル１と一体となり平面視四角形状で柱Ａを包囲する。
【００１３】
＜４＞固定具。
コンクリートパネル１と接続材２は、固定具４によって接合する。
固定具４は皿ボルト、丸ボルトまたは六角ボルトとする。
固定具４は、コンクリートパネル１の高さ方向の上辺付近および下辺付近において、コンクリートパネル１と接続材２の長辺部２１および長辺部２１に接する他の接続材２の短辺部２２を貫通する（図４）。
固定具４は、構築する補強構造の厚さと略同一の長さとすることが好ましい。このとき、固定具４の先端は柱Ａに当接する。
【００１４】
＜５＞充填材。
柱Ａとコンクリートパネル１との間に充填する充填材３は、モルタルまたはコンクリートである。このモルタルまたはコンクリートのセメント系材料に短繊維を加えて補強したモルタルまたはコンクリートとすることもできる。
充填材３は、コンクリートパネル１と一体となって柱Ａを包囲して補強する。
【００１５】
［２］補強工法。
次に、本発明の補強工法について説明する。
【００１６】
＜１＞下準備。
柱Ａをハイウオッシャー等によって水洗いする。また、柱Ａの周囲に補強構造を組み上げていくため、既設基礎天端を水平に仕上げる。
【００１７】
＜２＞最下段のコンクリートパネルの配置および接続材の接合。
構築する補強構造の最下段に配置する４枚のコンクリートパネル１を柱Ａを包囲するように立設する。コンクリートパネル１は平板状で薄いコンクリート製であるため、軽量であり、現場への搬入作業および組み立てにおいて、人力施工が可能である。
コンクリートパネル１と既設基礎との間には支持材５を配置し、３０ｍｍ〜６０ｍｍ程度の空きを設ける。（図５）
支持材５は瀝青繊維質、瀝青質、発泡ゴム、発泡樹脂やウレタン等、コンクリートパネル１より柔らかくかつ重量を支持できる素材からなり、補強構造を構築した後にこの支持材５によって補強構造の下端を支持することにより、柱Ａが変形した際に追従して支持材５が変形し、補強構造が損傷するのを防止する。
直交する２辺分のコンクリートパネル１の下辺には、２辺分の下端接続プレート２ｂの長辺部２１および直交する下端接続プレート２ｂ間の短辺部２２を固定具により接合し一体とする。
固定具４の長さが構築する補強構造の厚さと略同一の場合には、固定具４の頭部がコンクリートパネル１の表面とほぼ同一の表面になるまで螺合し、固定具４は短辺部２２から突設する。
そして、下端接続プレート２ｂを接合した２枚のコンクリートパネル１の柱Ａ方向の位置決めをする（図６）。下端接続プレート２ｂの角が柱Ａの角に対応し、また、固定具４の長さが構築する補強構造の厚さと略同一の場合には、アングル２２から突設する固定具４の端部を柱Ａに当接することにより、コンクリートパネル１の柱Ａ方向の位置決めを容易に行うことができる。
その後、残り２辺のコンクリートパネル１にも同様に下端接続プレート２ｂを接合するとともに柱Ａ方向の位置決めを行う。
そして、最初に位置決めした２辺のコンクリートパネル１と残り２辺のコンクリートパネルとの間に配置する下端接続プレート２ｂの短辺部２２を固定具４よって接合する。（図７）
この工程によって、柱Ａは４枚のコンクリートパネル１および下端接続プレート２ｂからなる接続材２によって包囲される。コンクリートパネル１は接続材２と接合しているため、あと施工アンカーを打設する必要がない。
【００１８】
＜３＞コンクリートパネル上辺の接続材の接合。
柱Ａを包囲するコンクリートパネル１の上辺に、接続プレート２ａの長辺部２１および直交する接続プレート２ａ間の短辺部２２を固定具４により接合し、接続材２を接合する。
この上辺の接続材２は、あらかじめコンクリートパネル１に接続プレート２ａを接合しておき、下端の接続材２を接合する際に同時に接合してもよい。
【００１９】
＜４＞コンクリートパネルの積層。
次に上段のコンクリートパネル１の下辺を、下段のコンクリートパネル１および下段のコンクリートパネル１に接合した接続材２に合わせる。
そして、上段のコンクリートパネル１を固定具４によって接続材２に接合することにより上段のコンクリートパネル１と下段のコンクリートパネル１を連結し、下段のコンクリートパネル１と同様に、上段においても４枚のコンクリートパネル１によって柱Ａを包囲する。（図８）
その後、上段のコンクリートパネル１の上辺に、接続材２を接合する。この接続材２は、下段の構築時と同様にあらかじめ接続材２を接合しておいてもよいし、４枚のコンクリートパネル１を配置した後に接続材２を接合して構築してもよい。
以後、上述の工程を繰り返して、所定の高さまで、柱Ａをコンクリートパネル１によって包囲する。
【００２０】
＜５＞充填材の充填。
コンクリートパネル１と柱Ａとの間に充填材４を充填する。充填材４はプレミックスとし、現場にて加水、練混ぜを行い、モルタルポンプ等により充填する。
このとき、コンクリートパネル１で包囲された断面正方形の四隅は接続材２により精度良く組まれている。また、上下のコンクリートパネル１間には接続材２が位置する。このため、充填材４がコンクリートパネル１の隙間から漏れ出すことがない。
コンクリートパネル１は、接続材２によって連結した状態で閉合して柱Ａを包囲している。このため、充填材４の充填時に支保工を構築する必要がない。
【００２１】
本発明の補強工法は、柱Ａを包囲する全ての部材を固定具４によって接合するものであり、溶接作業が不要であり、熟練工でなくても容易に組み立てることができるため施工の省人化、省力化が図れる。
また、全ての部材が軽量であるため、人力施工が可能であり、狭隘な場所に位置する柱Ａの補強も容易に行うことができる。揚重機を使用しないため、施工時のＣＯ２が削減され、施工時の騒音、振動が低減される。
【００２２】
［その他実施例］
＜１＞補強材。
本発明の補強構造は、縦方向に間隔を設けて配置される接続材２と平行に、補強材６を追加配置してもよい。（図９）
補強材６は、あらかじめ４枚のコンクリートパネル１の裏面に補材６の長辺部６１を固定具４により接合しておく。そして４枚のコンクリートパネル１を柱Ａ方向に位置決めした後に、未接合のコンクリートパネル１、長辺部６１および短辺部６２を固定具４により接合し、柱Ａを包囲する補強材６を構築する。（図１０）。
補強材６の配置位置および配置間隔を調整することにより、補強構造における補強の程度を変化させることができる。
【００２３】
＜２＞柱の形状。
上述した実施例は、断面正方形状の柱Ａの補強であったが、対向するコンクリートパネル１の幅を変更するだけで、任意の寸法の柱Ａの補強を行うことができる。
【符号の説明】
【００２４】
１      コンクリートパネル
１１    挿通孔
２      接続材
２ａ    接続プレート
２ｂ    下端接続プレート
２１    長辺部
２１１  挿通孔
２２    短辺部
２２１  挿通孔
３      充填材
４      固定具
５      支持材
６      補強材
６１    長辺部
６２    短辺部
【図１】
2017031653.tif 000003
【図２】
2017031653.tif 000004
【図３】
2017031653.tif 000005
【図４】
2017031653.tif 000006
【図５】
2017031653.tif 000007
【図６】
2017031653.tif 000008
【図７】
2017031653.tif 000009
【図８】
2017031653.tif 000010
【図９】
2017031653.tif 000011
【図１０】
2017031653.tif 000012